【手続補正書】
【提出日】平成28年2月17日(2016.2.17)
【手続補正１】
【補正対象書類名】特許請求の範囲
【補正対象項目名】全文
【補正方法】変更
【補正の内容】
【特許請求の範囲】
【請求項１】
郵便物仕分け機械によって実行される方法であって、
前記郵便物仕分け機械の入力部で複数の郵便物を受け取る工程と、
前記郵便物を複数の配列グループに仕分ける工程であって、各配列グループは前記複数の郵便物のうち奇数番号の郵便物の第1のサブセットと前記複数の郵便物のうち偶数番号の郵便物の第2のサブセットとから成る配列を含む、工程と、
各配列グループ内の前記偶数番号の郵便物の第2のサブセットを保管する工程と、
各配列グループ内の前記奇数番号の郵便物の第1のサブセットを複数の取出口に仕分ける工程とを含み、前記第2のサブセットを保管する工程および前記第1のサブセットを仕分ける工程が、配列グループごとに、それぞれをグループ順に順次に処理することによって実行され、
前記方法は、前記保管された第2のサブセットの郵便物を前記複数の取出口に仕分ける工程をさらに含む、
方法。
【請求項２】
各グループからの郵便物の前記第2のサブセットが、グループ順に従って、バッファ内に一緒に保管される、請求項1に記載の方法。
【請求項３】
郵便物の前記第1のサブセットが、偶数仕分け基準を有し、郵便物の前記第2のサブセットが、奇数仕分け基準を有する、請求項1に記載の方法。
【請求項４】
前記取出口内の前記郵便物が、宛先仕分け順に仕分けられる、請求項1に記載の方法。
【請求項５】
郵便物仕分け機械によって実行される方法であって、
前記郵便物仕分け機械の入力部で複数の郵便物を受け取る工程と、
複数の第1のパスの仕分け基準を、複数の第1のパスの取出口の各々に割り当てる工程であって、前記第1のパスの仕分け基準が、少なくとも第1の仕分け基準および第2の仕分け基準を含む、工程と、
前記仕分け基準に従って、第1のパス内の前記郵便物を前記第1のパスの取出口に仕分ける工程であって、前記取出口の各々は前記複数の郵便物のうち奇数番号の郵便物の第1のサブセットと前記複数の郵便物のうち偶数番号の郵便物の第2のサブセットとから成る配列を含む、工程と、
少なくとも1つの第2のパスの仕分け基準を、複数の第2のパスの取出口の各々に割り当てる工程と、
前記第1の仕分け基準に一致する各々の第1のパスの取出口の前記偶数番号の郵便物の第2のサブセットを、バッファに移す工程と、
前記第2のパスの仕分け基準に従って、前記第2の仕分け基準に一致する各々の第1のパスの取出口の前記奇数番号の郵便物の第1のサブセットを、前記第2のパスの取出口に仕分ける工程と、
前記第2のパスの仕分け基準に従って、前記バッファ内の前記郵便物の第2のサブセットを前記第2のパスの取出口に仕分ける工程と
を含む、方法。
【請求項６】
前記郵便物が、前記第1のパスの取出口から再供給され、前記第2のパスの取出口が、前記第1のパスの取出口と同じ物理的取出口である、請求項5に記載の方法。
【請求項７】
各々の第1のパスの取出口のための前記第1および第2の仕分け基準が、2パス基数ソートの第1のパスのための2つの仕分け数字である、請求項5に記載の方法。
【請求項８】
各々の第1のパスの取出口のための前記第1および第2の仕分け基準が、宛先コードの2つの数字である、請求項5に記載の方法。
【請求項９】
前記第1の仕分け基準に一致する各々の第1のパスの取出口に関する前記郵便物が、前記バッファ内で、前記第1のパスの取出口の仕分け順にまとめられる、請求項5に記載の方法。
【請求項１０】
少なくとも1つのコントローラと、
複数の郵便物を受け取るように構成された供給機と、
複数の取出口と
を備える郵便物仕分け機械であって、
前記郵便物を複数の配列グループに仕分けることであって、各配列グループは前記複数の郵便物のうち奇数番号の郵便物の第1のサブセットと前記複数の郵便物のうち偶数番号の郵便物の第2のサブセットとから成る配列を含むことと、
前記偶数番号の郵便物の第2のサブセットを、バッファ供給機内の各配列グループに保管することと、
各配列グループ内の前記奇数番号の郵便物の第1のサブセットを、前記複数の取出口に仕分けることと
を行うように構成され、前記第2のサブセットを保管することおよび前記第1のサブセットを仕分けることが、配列グループごとに、それぞれをグループ順に順次に処理することによって実行され、
前記郵便物仕分け機械が、前記保管された第2のサブセットの郵便物を、前記バッファ供給機から前記複数の取出口に仕分けることをさらに行うように構成される、
郵便物仕分け機械。
【請求項１１】
各々の配列グループ内の前記郵便物の前記第1のサブセットを前記バッファ供給機に進路変更するように構成されたダイバータゲートをさらに備える、請求項10に記載の郵便物仕分け機械。
【請求項１２】
前記バッファ供給機が、前記郵便物の前記保管された第1のサブセットを単一化し、前記単一化された郵便物を、前記郵便物仕分け機械の一次輸送経路に移すように構成される、請求項10に記載の郵便物仕分け機械。
【請求項１３】
前記バッファ供給機が、
【数１】
2016040039.tif 000001
に従って計算されたバッファ容量Cを有し、ここで、Vgは、前記郵便物の合計予測量を表し、Lは、バッファ分割の数を表す、請求項10に記載の郵便物仕分け機械。
【請求項１４】
少なくとも1つのコントローラおよび複数の取出口を有する郵便物仕分け機械の動作を制御するように1つまたは複数のプロセッサによって実行可能なプログラム命令が格納された非一時的コンピュータ可読記憶媒体であって、前記プログラム命令が、前記郵便物仕分け機械に、
前記郵便物仕分け機械の入力部で複数の郵便物を受け取ることと、
前記郵便物を複数の配列グループに仕分けることであって、各配列グループは前記複数の郵便物のうち奇数番号の郵便物の第1のサブセットと前記複数の郵便物のうち偶数番号の郵便物の第2のサブセットとから成る配列を含むことと、
前記偶数番号の郵便物の第2のサブセットを各配列グループに保管することと、
各配列グループ内の前記奇数番号の郵便物の第1のサブセットを、前記複数の取出口に仕分けることと
を行わせ、前記第2のサブセットを保管することおよび前記第1のサブセットを仕分けることが、配列グループごとに、それぞれをグループ順に順次に処理することによって実行され、
前記プログラム命令が、前記郵便物仕分け機械に、前記保管された第2のサブセットの郵便物を、前記複数の取出口に仕分けることをさらに行わせる、
コンピュータ可読記憶媒体。
【請求項１５】
各グループからの郵便物の前記第2のサブセットが、グループ順に従って、バッファ内に一緒に保管される、請求項14に記載のコンピュータ可読記憶媒体。
【請求項１６】
郵便物の前記第1のサブセットが、偶数仕分け基準を有し、郵便物の前記第2のサブセットが、奇数仕分け基準を有する、請求項14に記載のコンピュータ可読記憶媒体。
【請求項１７】
前記取出口内の前記郵便物が、宛先仕分け順に仕分けられる、請求項14に記載のコンピュータ可読記憶媒体。
【請求項１８】
少なくとも1つのコントローラおよび複数の取出口を有する郵便物仕分け機械の動作を制御するように1つまたは複数のプロセッサによって実行可能なプログラム命令が格納された非一時的コンピュータ可読記憶媒体であって、前記プログラム命令が、前記郵便物仕分け機械に、
前記郵便物仕分け機械の入力部で複数の郵便物を受け取ることと、
複数の第1のパスの仕分け基準を、前記複数の取出口の各々に割り当てることであって、前記第1のパスの仕分け基準が、少なくとも第1の仕分け基準および第2の仕分け基準を含む、割り当てることと、
前記仕分け基準に従って、第1のパスの前記郵便物を前記取出口に仕分けることであって、前記取出口の各々は前記複数の郵便物のうち奇数番号の郵便物の第1のサブセットと前記複数の郵便物のうち偶数番号の郵便物の第2のサブセットとから成る配列を含むことと、
少なくとも1つの第2のパスの仕分け基準を、前記複数の取出口の各々に割り当てることと、
前記第1の仕分け基準に一致する各取出口の前記偶数番号の郵便物の第2のサブセットを、バッファに移すことと、
前記第2のパスの仕分け基準に従って、前記第2の仕分け基準に一致する各取出口の前記奇数番号の郵便物の第1のサブセットを、第2のパスの取出口に仕分けることと、
前記第2のパスの仕分け基準に従って、前記バッファ内の前記郵便物の第2のサブセットを前記取出口に仕分けることと
を行わせる、コンピュータ可読記憶媒体。
【請求項１９】
前記第1および第2の仕分け基準が、2パス基数ソートの第1のパスのための2つの仕分け数字である、請求項18に記載のコンピュータ可読記憶媒体。
【請求項２０】
前記第1および第2の仕分け基準が、宛先コードの2つの数字である、請求項18に記載のコンピュータ可読記憶媒体。